(57)【特許請求の範囲】
【請求項１】
有機発光ダイオード装置を管理する管理回路であって、該管理回路は、
―  有機発光ダイオード装置の故障状態を検出し、或る時間間隔と等しいか又はより大きい期間を有する検出された故障状態に応じて判定信号を生成する、検出回路と、
―  前記判定信号に応じて、前記有機発光ダイオード装置をバイパスするスイッチング回路と、を含み、
―  前記スイッチング回路は、導電モードで比較的低い抵抗パスを有し、非導電モードで、比較的高い抵抗パスを有し、前記スイッチング回路は双安定スイッチング回路であり、前記判定信号に応じて、前記非導電モードから前記導電モードへスイッチされ、そして、前記スイッチング回路を通じて流れる或る電流が最小値を下回るとすぐに、前記導電モードから前記非導電モードへ逆にスイッチされる、
管理回路。
【請求項２】
前記検出回路は、前記有機発光ダイオード装置の別の故障状態を検出し、別の時間間隔と等しいか又はより大きい期間を有する別の検出された故障状態に応じて、別の判定信号を生成するよう構成され、及び、前記スイッチング回路は、前記別の判定信号に応じて、前記有機発光ダイオード装置をバイパスするよう構成され、前記故障状態はショート不良であり、前記別の故障状態はオープン不良である、請求項１記載の管理回路。
【請求項３】
前記導電モードで、前記比較的低い抵抗パスは、或る電流で、同じ電流で有機発光ダイオード装置の順電圧降下よりも小さい順電圧降下を示し、前記非導電モードで、前記比較的高い抵抗パスは、或る電圧で、同じ電圧で有機発光ダイオード装置の電流よりも小さいリーク電流を示す、請求項１記載の管理回路。
【請求項４】
有機発光ダイオード装置を管理する管理回路であって、該管理回路は、
―  有機発光ダイオード装置の故障状態を検出し、或る時間間隔と等しいか又はより大きい期間を有する検出された故障状態に応じて判定信号を生成する、検出回路と、
―  前記判定信号に応じて、前記有機発光ダイオード装置をバイパスするスイッチング回路と、を含み、
前記管理回路は自律回路であり、前記有機発光ダイオード装置を介して電力を受信するだけで他の如何なる電力をも受信せず、そして、前記管理回路は自動回路であり、前記有機発光ダイオード装置のスイッチオフの後に自分自身をリセットし、前記有機発光ダイオードのスイッチオンの後に自分自身を自動的に設定する、管理回路。
【請求項５】
有機発光ダイオード装置を管理する管理回路であって、該管理回路は、
―  有機発光ダイオード装置の故障状態を検出し、或る時間間隔と等しいか又はより大きい期間を有する検出された故障状態に応じて判定信号を生成する、検出回路と、
―  前記判定信号に応じて、前記有機発光ダイオード装置をバイパスするスイッチング回路と、を含み、
前記検出回路は、前記有機発光ダイオード装置にわたる動作電圧から導出電圧を導出する第１回路を含み、そして、前記導出電圧を基準電圧と比較し、そうして、前記有機発光ダイオード装置の故障状態が極めて低い導出電圧を介して検出されるようになる、第２回路を含み、そして、前記第２回路から出力信号を統合、ローパスフィルタリング、又は、遅延させ、そうして、前記時間間隔に等しいか、又は、より大きい期間を有する前記検出された故障状態に応じて、前記判定信号が生成されるようになる、第３回路を含み、そして、前記スイッチング回路は、サイリスタ、トライアック、トランジスタ、又は、リレーを含み、そうして、前記判定信号に応じて、前記有機発光ダイオード装置はバイパスされるようになる、管理回路。
【請求項６】
前記第１回路はレジスタ分配器を有し、前記第２回路は比較器、オペアンプ、トランジスタ又はマイクロコントローラを有し、そして、前記第３回路は集積回路、フィルタリング回路又は遅延回路を有する、請求項５記載の管理回路。
【請求項７】
有機発光ダイオード装置を管理する管理回路であって、該管理回路は、
―  有機発光ダイオード装置の故障状態を検出し、或る時間間隔と等しいか又はより大きい期間を有する検出された故障状態に応じて判定信号を生成する、検出回路と、
―  前記判定信号に応じて、前記有機発光ダイオード装置をバイパスするスイッチング回路と、を含み、
前記検出回路は、前記有機発光ダイオード装置の別の故障状態を検出し、別の時間間隔と等しいか又はより大きい期間を有する別の検出された故障状態に応じて、別の判定信号を生成するよう構成され、及び、前記スイッチング回路は、前記別の判定信号に応じて、前記有機発光ダイオード装置をバイパスするよう構成され、前記故障状態はショート不良であり、前記別の故障状態はオープン不良であり、
前記検出回路は第４回路を含み、前記第４回路は、前記有機発光ダイオード装置にわたる動作電圧から導出された導出電圧と別の導出電圧とを導出し、及び、第５回路を含み、前記第５回路は、前記導出電圧を基準電圧と比較し、そうして、前記有機発光ダイオード装置の前記故障状態は極めて低い導出電圧を介して検出することができるようになり、及び、第６回路を含み、前記第６回路は、前記第５回路からの出力信号を統合、又は、ローパスフィルタリング、又は、遅延し、そうして、前記時間間隔と等しいか、又は、より大きい期間を有する検出された故障状態に応じて、前記検出信号が生成されるようになり、及び、第７回路を含み、前記第７回路は、前記別の導出電圧を基準電圧と比較し、そうして、極めて高い別の導出電圧により、前記有機発光ダイオード装置の前記別の故障状態が検出されるようになり、及び、第８回路を有し、前記第８回路は、前記第７回路からの出力信号を統合し、又は、ローパスフィルタリングし、又は、遅延し、そうして、前記別の時間間隔と等しいか、又は、より大きい期間を有する前記検出された別の故障状態に応じて、前記別の判定信号が生成されるようになり、及び、前記スイッチング回路は、サイリスタ、トライアック、トランジスタ、又は、リレーを含み、そうして、前記判定信号、及び／又は、前記別の判定信号に応じて、前記有機発光ダイオード装置はバイパスされることができるようになる、管理回路。
【請求項８】
前記第４回路はレジスタ分配器を含み、前記第５回路及び前記第７回路はそれぞれ又は一緒に比較器、オペアンプ、トランジスタ、又は、マイクロコントローラを含み、そして、前記第６回路及び前記第８回路はそれぞれ又は一緒に集積回路、フィルタリング回路、又は、遅延回路を含む、請求項７記載の管理回路。
【請求項９】
前記基準電圧と前記別の基準電圧とは同一であるか、及び／又は、同じ要素を介して導かれる、請求項７記載の管理回路。
【請求項１０】
前記検出回路はマイクロコントローラを含む、請求項１記載の管理回路。
【請求項１１】
請求項１記載の前記管理回路と、前記管理回路に並列に接続される前記有機発光ダイオード装置とを更に含む、システム。
【請求項１２】
ストリングを形成するように有機発光ダイオード装置に接続された別の有機発光ダイオード装置を有する、請求項１１記載のシステムであって、前記ストリングは前記管理回路に並列に接続され、この管理回路によって管理され、又は、前記別の有機発光ダイオード装置は別の管理回路に並列に接続されて、この別の管理回路によって管理される、システム。
【請求項１３】
前記有機発光ダイオード装置は、ＤＣ電流、ＡＣ電流、又は、リップル電流を前記有機発光ダイオード装置に供給する定電流ドライバに接続可能である、請求項１１記載のシステム。
【請求項１４】
有機発光ダイオード装置を管理する方法であって、前記方法は、
―  前記有機発光ダイオード装置の故障状態を検出し、そして、或る時間間隔と等しいか、又は、より大きい期間を有する検出された故障状態に応じて判定信号を生成するステップと、
―  前記判定信号に応じて、スイッチング回路により前記有機発光ダイオード装置をバイパスするステップと、を含み、
―  前記スイッチング回路は、導電モードで比較的低い抵抗パスを有し、非導電モードで、比較的高い抵抗パスを有し、前記スイッチング回路は双安定スイッチング回路であり、前記判定信号に応じて、前記非導電モードから前記導電モードへスイッチされ、そして、前記スイッチング回路を通じて流れる或る電流が最小値を下回るとすぐに、前記導電モードから前記非導電モードへ逆にスイッチされるステップを更に含む、
方法。
【発明の詳細な説明】
【技術分野】
【０００１】
本発明は、有機発光ダイオード用の管理回路に関する。本発明は、さらに、そうした管理回路を含むシステムに関し、有機発光ダイオード装置を管理する方法に関する。そうしたシステムの例はランプ及び他の発光ダイオードシステムである。
【背景技術】
【０００２】
ＵＳ２００５／０１７４０６４Ａ１（特許文献１）は、改善した耐障害性を有する有機発光ダイオードを開示する。これを実現するため、受動電流制限部品が直列にエレクトロ・ルミネッセント・ダイオードに接続され、そうして、ディスプレイ中の暗い有機発光ダイオードのライン欠陥が低減されるようになる。これは受動的なソリューションである。
【先行技術文献】
【特許文献】
【０００３】
【特許文献１】ＵＳ２００５／０１７４０６４Ａ１
【発明の概要】
【発明が解決しようとする課題】
【０００４】
本発明の目的は、より積極的な方法で、有機発光ダイオードを管理する管理回路を提供することである。さらなる目的は、システムと方法を供給することである。
【課題を解決するための手段】
【０００５】
第１の側面によれば、有機発光ダイオード装置を管理する管理回路が供給され、その管理回路は、
―  有機発光ダイオード装置の故障状態を検出し、或る時間間隔と等しいか又はより大きい期間を有する検出された故障状態に応じて、判定信号を生成する、検出回路と、
―  その判定信号に応じて、その有機発光ダイオード装置をバイパスするスイッチング回路と、を含む。
【０００６】
その検出回路は、有機発光ダイオード装置の故障状態を検出する。そうした故障状態には、有機発光ダイオード装置が比較的低い、又は、極めて低いインピーダンスを有することを含んでもよく、“ショート”としても知られている。代替的に、そうした故障状態には、有機発光ダイオード装置が比較的高い、又は、極めて高いインピーダンスを有することを含み、”オープン”としても知られる。有機発光ダイオード装置が、定電流ドライバを介して供給されるストリングの有機発光ダイオード装置を含むシステムの一部を形成している場合、局所的電力密度は、比較的高いか、又は、極めて高い値を得るという事実のため、“ショート”は、ホットスポットをもたらすことがあり、そのホットスポットは更にシステムを損傷することがあり、及び／又は、人にも危険なことがあり、そして、“オープン”はストリング全体が動作停止することをもたらすことがある。そうした故障状態の検出に応じて、その故障状態が或る時間間隔と等しいか、又は、より長い期間を有する状態の下では、判定信号が生成される。その判定信号に応じて、スイッチング回路は有機発光ダイオード装置をバイパスする。こうして、その有機発光ダイオード装置はよりアクティブな方法で管理される。
【０００７】
本管理回路は、更に以下の利点を有する。即ち、故障状態が或る時間間隔と等しいか、又は、より長い期間を有するべきであるという状態は、例えば、スイッチオンのような移行に応じて、及び／又は、ＡＣ電流やリップル電流のような一定の電流駆動から電流が変化することに応じて、有機発光ダイオード装置が不適切にバイパスされるのを防いでもよい。
【０００８】
有機発光ダイオード装置は、１つ以上の、直列及び／又は並列に接続される有機発光ダイオードユニットを含んでもよい。その時間間隔はゼロより大きい最少時間間隔である。
【０００９】
管理回路の一実施形態は、検出回路によって定義され、その検出回路は、有機発光ダイオード装置の別の故障状態を検出し、別の時間間隔と等しいか、又は、より大きい別の期間を有する検出された別の故障状態に応じて、別の判定信号を生成するよう構成され、及び、スイッチング回路は、その別の判定信号に応じて、有機発光ダイオード装置をバイパスするよう構成され、その故障状態はショート不良であり、別の故障状態はオープン不良である。この管理回路は、“ショート”と同様に“オープン”の両方の状態に反応できるという点で有利であり、各故障状態に対して別個の時間間隔が選択されてもよい。その別の時間間隔は、別の最少時間間隔であり、ゼロより大きい。
【００１０】
管理回路の一実施形態は、スイッチング回路によって定義され、そのスイッチング回路は、導電モードで、比較的低い抵抗パスを有し、その抵抗パスは、或る電流で同じ電流で有機発光ダイオード装置の順電圧降下よりも小さい順電圧降下を示し、非導電モードで比較的高い抵抗パスを有し、その抵抗パスは、或る電圧で、同じ電圧で有機発光ダイオード装置の電流よりも小さいリーク電流を示す。この管理回路は、両方の明確なモードが、管理回路がより最適に機能することを可能にするという点で有利である。
【００１１】
本管理回路の一実施形態は、スイッチング回路により定義され、そのスイッチング回路は、双安定のスイッチング回路であり、判定信号及び／又は別の判定信号に応じて、非導電モードから導電モードへスイッチされ、そして、そのスイッチング回路を通じて流れる或る電流が最小値を下回るとすぐに、導電モードから非導電モードへ逆にスイッチされる。その双安定のスイッチング回路は、非導電モードから導電モードへスイッチされるパルスを要求するだけであり、スイッチオフの前に、導電モードから非導電モードへ逆にスイッチされない。
【００１２】
本管理回路の一実施形態は、管理回路によって定義され、その管理回路は自律回路であり、有機発光ダイオード装置を介して電力を受信するだけであり、他の如何なる電力をも受信せず、そして、その管理回路は自動的な回路であり、有機発光ダイオード装置のスイッチオフの後に自分自身をリセットし、有機発光ダイオード装置のスイッチオンの後に自分自身を自動的に設定する。この管理回路は、自動的な回路であると同様に自律的な回路である点で有利である。
【００１３】
本管理回路の一実施形態は、検出回路によって定義され、その検出回路は、有機発光ダイオード装置にわたる動作電圧から導出電圧を導出する第１回路を含み、その導出電圧を基準電圧と比較し、そうして、有機発光ダイオード装置の故障状態が極めて低い導出電圧を介して検出されるようになる第２回路を含み、そして、その第２回路から出力信号を統合し、又は、ローパスフィルタリングし、又は、遅延させ、そうして、その時間間隔に等しいか、又は、より大きい期間を有する検出された故障状態に応じて、その判定信号が生成されるようになる、第３回路を含み、そして、そのスイッチング回路は、サイリスタ、又は、トライアック、又は、トランジスタ、又は、リレーを含み、そうして、その判定信号に応じて、有機発光ダイオード装置はバイパスされることできる。有機発光ダイオード装置にわたって動作する電圧は、故障状態の良い目安である。“ショート”の故障状態は比較的低い、又は、極めて低い値を有する導出電圧をもたらすだろう。統合、ローパスフィルタリング、又は遅延は、時間間隔が形成され定義されることを可能にする。
【００１４】
本管理回路の一実施形態は、第１回路はレジスタ分配器を有し、第２回路は比較器、又は、オペアンプ、又は、トランジスタ、又は、マイクロコントローラを有し、そして、第３回路は集積回路、又は、フィルタリング回路、又は、遅延回路を有することによって定義される。
【００１５】
本管理回路の一実施形態は、検出回路によって定義され、その検出回路は、第４回路を有し、有機発光ダイオード装置にわたる動作電圧から導出された導出電圧と、別の導出電圧とを導出し、そして、第５回路を有し、導出電圧を基準電圧と比較し、そうして、その有機発光ダイオード装置の故障状態は極めて低い導出電圧を介して検出することができるようになり、そして、第６回路を有し、その第５回路からの出力信号を統合、又は、ローパスフィルタリング、又は、遅延し、そうして、時間間隔と等しいか、又は、より大きい期間を有する検出された故障状態に応じて、検出信号が生成されるようになり、第７回路を有し、別の導出電圧を別の基準電圧と比較し、そうして、極めて高い別の導出電圧により、有機発光ダイオード装置の別の故障状態が検出されるようになり、そして、第８回路を有し、その第７回路からの出力信号を統合し、又は、ローパスフィルタリングし、又は、遅延し、そうして、その別の時間間隔と等しいか、又は、より大きい期間を有する検出された別の故障状態に応じて、別の判定信号が生成されるようになり、そして、そのスイッチング回路は、サイリスタ、又は、トライアック、又は、トランジスタ、又は、リレーを含み、そうして、判定信号、及び／又は、別の判定信号に応じて、その有機発光ダイオード装置はバイパスされることができる。有機発光ダイオード装置にわたる動作電圧は、故障状態の良い目安である。“ショート”の故障状態は、比較的低いか、又は、極めて低い値を有する導出電圧をもたらすだろう。“オープン”の故障状態は、比較的高いか、又は、極めて高い値を有する導出電圧をもたらすだろう。統合、又は、ローパスフィルタリング、又は、遅延は、時間間隔が生成され定義されることを可能にする。
【００１６】
本管理回路の一実施形態は、レジスタ分配器を含む第４回路と、比較器、又は、オペアンプ、又は、トランジスタ、又は、マイクロコントローラをそれぞれ又は一緒に含む第５回路及び第７回路と、集積回路、又は、フィルタリング回路、又は、遅延回路をそれぞれ又は一緒に含む第６回路及び第８回路とによって定義される。
【００１７】
本管理回路の一実施形態は、基準電圧と、別の基準電圧とによって定義され、同一の要素を介して、同一であるか、及び／又は、導出される。これは低コストのソリューションである。
【００１８】
本管理回路の一実施形態は、マイクロコントローラを含む検出回路によって定義される。これは柔軟なソリューションである。
【００１９】
第２の側面によれば、本管理回路を含み、更に、本管理回路に並列に接続された有機発光ダイオードを含むシステムが供給される。
【００２０】
本システムの一実施形態は以下のように定義される。即ち、その実施形態は、ストリングを形成するように、有機発光ダイオード装置に接続された別の有機発光ダイオード装置を有し、そのストリングは、本管理回路に並列に接続され、この管理回路によって管理され、又は、その別の有機発光ダイオード装置は別の管理回路に並列に接続されて、この別の管理回路によって管理される。２つ以上の有機発光ダイオード装置に対する１つの管理回路は、低コストのソリューションであるが、その有機発光ダイオード装置の１つだけが故障を示した場合、両方がバイパスされ動作を停止するだろう。１つの有機発光ダイオード装置ごとに１つの管理回路は、より高価なソリューションであるが、その有機発光ダイオード装置の１つだけが故障を示した場合、この有機発光ダイオードだけがバイパスされ動作を停止し、もう一方はバイパスされず動作したままだろう。
【００２１】
本システムの一実施形態は、定電流ドライバに接続可能な有機発光ダイオード装置によって定義され、ＤＣ電流、又は、ＡＣ電流、又は、リップル電流を有機発光ダイオード装置に供給する。
【００２２】
第３の側面によれば、有機発光ダイオード装置を管理する方法が提供され、その方法は、
―  有機発光ダイオード装置の故障状態を検出し、そして、或る時間間隔と等しいか、又は、より大きい期間を有する検出された故障状態に応じて、判定信号を生成するステップと、
―  その判定信号に応じて、その有機発光ダイオードデバイス装置をバイパスするステップと、を有する。
【００２３】
或る洞察によれば、故障状態の開始は、非故障状態の開始と同じでもよく、混乱を避けるため、アクションがすぐには考慮されないが、時間間隔の経過後だけに考慮される。
【００２４】
基本的なアイディアによれば、或る時間間隔と等しいか、又は、より大きい期間を有する検出された故障状態に応じて、有機発光ダイオード装置はバイパスされるべきである。
【００２５】
有機発光ダイオード装置をよりアクティブな方法で管理する管理回路を提供する問題は、解決された。
【００２６】
更なる有利な点は、そうした状態が有機発光ダイオード装置を不正にバイパスされることを防ぐことである。
【図面の簡単な説明】
【００２７】
本発明の、これらの、及び、他の側面は、以下で説明される実施形態から明らかであり、これらを参照して解明されるだろう。図では：
【図１】図１は、管理回路を含むシステムを示す。
【図２】図２は、管理回路を含む第１実施形態を示す。
【図３】図３は、管理回路を含む第２実施形態を示す。
【図４】図４は、第２実施形態の第１実施例を示す。
【図５】図５は、第２実施形態の第２実施例を示す。
【図６】図６は、第２実施形態の第３実施例を示す。
【図７】図７は、第２実施形態の第４実施例を示す。
【図８】図８は、第２実施形態の第５実施例を示す。
【図９】図９は、２つの有機発光ダイオード装置を管理する、１つの管理回路を含むシステムを示す。
【図１０】図１０は、２つの管理回路を含むシステムを示し、それぞれが自分の有機発光ダイオード装置の管理に使用されている。
【図１１】図１１は、第１実施形態の第１実施例を示す。
【図１２】図１２は、第１実施形態の第２実施例を示す。
【図１３】図１３は、第１実施形態の第３実施例を示す。
【発明を実施するための形態】
【００２８】
有機発光ダイオード装置の故障状態には、有機発光ダイオード装置が比較的低い、又は、極めて低いインピーダンス、又は、“ショート”としても知られる“通常より低い”インピーダンスを有することを含む。代替的に、そうした故障状態には、有機発光ダイオード装置が比較的高い、又は、極めて高いインピーダンス、又は、“オープン”としても知られる“通常より高い”インピーダンスを有することを含む。有機発光ダイオード装置が、定電流ドライバを介して供給される有機発光ダイオード装置のストリングを含むシステムの一部を形成する場合、その有機発光ダイオード装置の１つの“ショート”が、局所的電力密度が比較的高い、又は、極めて高い値を有するという事実により、ホットスポットをもたらすことがあり、そのホットスポットは、そのシステムを損傷したり、及び／又は、人にとって危険であることがある。理想的な“ショート”の場合は、ゼロ電圧が不具合のある有機発光ダイオード装置にわたって存在するだろうが、より詳しくは、非理想的な“ショート”の場合は、動作電圧（通常電圧）よりも小さい電圧がその不具合のある有機発光ダイオード装置にわたって存在し、そして、これは、その不具合のある有機発光ダイオード装置にわたって、又は、ストリング全体にわたって、検出され得る。定電流ドライバを介して供給される有機発光ダイオード装置のストリングを含むシステムの一部を形成する、有機発光ダイオード装置の場合、その有機発光ダイオード装置の１つの“オープン”は、ストリング全体の動作停止をもたらしてもよい。理想的な”オープン”の場合には、不具合のある有機発光ダイオード装置にわたって無限の電圧が存在するだろうが、より詳しくは、非理想的な”オープン”の場合には、動作電圧（通常電圧）よりも大きい電圧がその不具合のある有機発光ダイオード装置にわたって存在し、これは、その不具合のある有機発光ダイオード装置にわたって、又は、ストリング全体にわたって、検出され得る。
【００２９】
図１にはシステム４０が示され、そのシステムは、有機発光ダイオード装置１に並列に接続される管理回路１０を含む。その管理回路１０は、検出回路２０を含み、有機発光ダイオード装置の故障状態を検出し、或る時間間隔と等しいか、又は、より大きい期間を有する検出された故障状態に応じて、判定信号を生成する。その管理回路１０は更にスイッチング回路３０を含み、その判定信号に応じて、その有機発光ダイオード装置をバイパスする。そのスイッチング回路３０は検出回路２０と並列に接続される。
【００３０】
図２では、管理回路１０の第１実施形態が示される。この第１実施形態によれば、検出回路２０は第１回路１００を含み、有機発光ダイオード装置１にわたる動作電圧から、導出電圧を導出し、そして、第２回路２００を含み、その導出電圧を基準電圧と比較し、そうして、その有機発光ダイオード装置１の故障状態が極めて低い導出電圧を介して検出され得るようになる。そうした基準電圧は、例えば、電源２０１によって供給され、及び／又は、有機発光ダイオード装置１にわたる動作電圧から導かれる。検出回路２０は、第３回路３００を更に含み、第２回路２００からの出力信号を統合、ローパスフィルタリング、又は、遅延し、そうして、その時間間隔と等しいか、又は、より大きい期間を有する検出された故障状態に応じて、判定信号が生成され得るようになる。スイッチング回路３０は、例えば、サイリスタ、トライアック、トランジスタ、又は、リレーを含み、そうして、その判定信号に応じて、有機発光ダイオード装置１はバイパスされるようになる。第１回路１００は、例えばレジスタ分配器を含み、第２回路２００は、例えば比較器、オペアンプ、トランジスタ、又は、マイクロコントローラを含み、そして、第３回路３００は、例えば集積回路、フィルタリング回路、又は、遅延回路を含む。
【００３１】
図３では、管理回路１０の第２実施形態が示される。この第２実施形態によれば、検出回路２０は、第４回路４００を含み、有機発光ダイオード装置１にわたる動作電圧から、導出電圧と別の導出電圧とを導き、そして、第５回路５００を含み、その導出電圧を基準電圧と比較し、そうして、その有機発光ダイオード装置１の故障状態が、非常に低い導出電圧を介して検出されるようになる。そうした基準電圧は、例えば電源５０１によって供給され、及び／又は、その有機発光ダイオード装置１にわたる動作電圧から導かれる。検出回路２０は、第６回路６００を更に有し、第５回路５００からの出力信号を統合、ローパスフィルタリング、又は、遅延し、そうして、その時間間隔と等しいか、又は、より大きい期間を有する検出された故障状態に応じて、その判定信号が生成されるようになる。その検出回路２０は、第７回路７００を更に含み、その別の導出電圧を別の基準電圧と比較し、そうして、有機発光ダイオード装置１の別の故障状態が、非常に高い別の導出電圧を介して検出されるようになる。そうした別の基準電圧は、例えば電源７０１によって供給され、及び／又は、有機発光ダイオード装置１にわたる動作電圧から導かれる。その検出回路２０は、第８回路８００を更に含み、第７回路からの出力信号を統合、ローパスフィルタリング、又は遅延し、そうして、その時間間隔と等しいか、又は、より大きい別の期間を有する検出された別の故障状態に応じて、別の判定信号が生成されるようになる。第６及び第８回路６００、８００からの出力信号は、スイッチング回路３０をコントロールする第９回路９００を介して、組み合わされる（例えば、ＯＲ操作又は加法操作を介して）。そのスイッチング回路３０は、例えば、サイリスタ、トライアック、トランジスタ、又は、リレーを含み、そうして、判定信号、及び／又は、別の判定信号に応じて、その有機発光ダイオード装置１はバイパスされるようになる。第４回路４００は、例えばレジスタ分配器を含み、第５及び第７回路５００，７００は、それぞれに又は一緒に、例えば比較器、オペアンプ、トランジスタ、又は、マイクロコントローラを含み、そして、第６及び第８回路６００、８００は、それぞれに又は一緒に、例えば集積回路、フィルタリング回路、又は、遅延回路を含む。好適には、その基準電圧と別の基準電圧とは、同じであるか、及び／又は、同一の要素を介して導かれ、例えば、温度補償された電圧基準、及び／又は、バンドギャップ基準である。
【００３２】
図４には第２実施形態の第１実施例が示される。この第１実施例によれば、３つのレジスタ４１１−４１３が互いに直列に接続され、有機発光ダイオード装置（不図示）と並列に接続される電圧分配器を一緒に形成する。その３つのレジスタ４１１−４１３は、図３に示される第４回路４００の可能な具体例を形成する。レジスタ４１１と４１２の間の相互接続は、トランジスタ７１１の制御電極に接続される。トランジスタ７１１の第１主電極は、レジスタ４１１の他方側に接続され、そして、第２主電極は、レジスタ８１１を介してダイオード９１１のアノードに接続される。レジスタ４１２と４１３の間の相互接続は、トランジスタ５１１の制御電極に接続される。トランジスタ５１１の第１主電極は、レジスタ４１３の他方側に接続され、そして、第２主電極は、ダイオード９１２のアノードに接続される。ダイオード９１１のアノードは、コンデンサ８１４を介してレジスタ４１３の他方側に更に接続され、そして、ダイオード９１２のアノードは、コンデンサ６１２を介してレジスタ４１３の他方側に更に接続され、そして、レジスタ６１１を介してレジスタ４１１の他方側に接続される。ダイオード９１１と９１２のカソードは、互いに接続され、そして、サイリスタ３１の制御電極に接続される。サイリスタ３１の主電極は、レジスタ４１１と４１３の他方側に接続される。レジスタ７１１は、図３で示される第７回路７００の可能な具体例を形成する。トランジスタ５１１は図３で示される第５回路５００の可能な具体例を形成する。レジスタ８１１とコンデンサ８１２は、図３で示される第８回路８００の可能な具体例を形成する。レジスタ６１１とコンデンサ６１２は、図３で示される第６回路６００の可能な具体例を形成する。ダイオード９１１と９１２は、図３で示される第９回路９００の可能な具体例を形成する。ダイオード９１１と９１２は、前の回路からの出力信号を組合せ、例えば、ＯＲ操作や加法操作に従って、コンデンサ６１２と８１２を介して実現される統合時間が互いに切り離されるようになる。その結果、時間間隔は相互に独立に選択される。最終的に、各トランジスタ５１１と７１１の制御電極と第１主電極との間に存在するトランジスタ電圧は、基準電圧として使用され、従ってここでは、トランジスタ５１１と７１１は、図３に示される回路５０１と７０１の可能な具体例を更に形成する。
【００３３】
図４の例示的な値は、統合時定数τ＝回路８００に対するＲＣ、τ（オープン）＝τ（高）＝１００ｍｓｅｃ、“オープン”に対する遅延反応は約６ｍｓｅｃであり、統合時定数τ＝回路６００に対するＲＣ、τ（ショート）＝τ（低）＝２０ｍｓｅｃ、“ショート”に対する遅延反応は約６ｍｓｅｃである。統合時定数τ＝回路８００に対するＲＣ、τ（オープン）＝τ（高）＝１００ｍｓｅｃであり、“オープン”に対する遅延反応は約６ｍｓｅｃであり、統合時定数τ＝回路６００に対するＲＣ、τ（ショート）＝τ（低）＝２０ｍｓｅｃであり、“ショート”に対する遅延反応は約６ｍｓｅｃである。そして、統合時定数τ＝回路８００に対するＲＣ、τ（オープン）＝τ（高）＝１００ｍｓｅｃであり、“オープン”に対する遅延反応は約６ｍｓｅｃであり、そして、統合時定数τ＝回路６００に対するＲＣ、τ（ショート）＝τ（低）＝１００ｍｓｅｃであり、“ショート”に対する遅延反応は約３０ｍｓｅｃである。もちろん、他の値も可能であり除外されない。
【００３４】
図５では、第２実施形態の第２実施例が示される。この第２実施例は、第１実施例と、ダイオード９１１が接続によって代替されている点だけ異なる。ダイオード９１２の背後で、前の回路からの出力信号が組み合わされる。その結果、コンデンサ６１２と８１２を介して実現される統合時間はもう互いに分離されない。
【００３５】
図５に対する例示的な値は、統合時定数τ＝回路８００に対するＲＣ、τ（オープン）＝τ（高）＝１００ｍｓｅｃであり、“オープン”に対する遅延反応は約２ｍｓｅｃであり、統合時定数τ＝回路６００に対するＲＣ、τ（ショート）＝τ（低）＝２０ｍｓｅｃであり、“ショート”に対する遅延反応は約９ｍｓｅｃである。もちろん、他の値も可能であり除外されない。
【００３６】
図６では、第２実施形態の第３実施例が示される。この第３実施例によれば、３つのレジスタ４１４−４１６が互いに直列に接続され、そして、有機発光ダイオード装置（ここでは不図示）と並列に接続される分圧器を一緒に形成する。その３つのレジスタ４１４−４１６は図３に示される第４回路４００の可能な具体例を形成する。レジスタ４１４と４１５との間の相互接続はトランジスタ７１１の制御電極に接続される。トランジスタ７１１の第１主電極はレジスタ４１４の他方側に接続され、そして、第２主電極はレジスタ８１３を介してダイオード９１２のカソードに接続される。レジスタ４１５と４１６との間の相互接続は、トランジスタ５１１の制御電極に接続される。トランジスタ５１１の第１主電極はレジスタ４１６の他方側に接続され、そして、第２主電極はダイオード９１２のアノードに接続される。ダイオード９１２のアノードはコンデンサ６１４を介してレジスタ４１６の他方側に更に接続され、そして、レジスタ６１３を介してレジスタ４１４の他方側に接続される。ダイオード９１２のカソードはサイリスタ３１の制御電極に更に接続される。サイリスタ３１の主電極は、レジスタ４１４と４１６の他方側に接続される。トランジスタ７１１は図３に示される第７回路７００の可能な具体例を形成する。トランジスタ５１１は図３に示される第５回路５００の可能な具体例を形成する。レジスタ８１３は図３に示される第８回路８００の可能な具体例を形成する。レジスタ６１３とコンデンサ６１４とは図３に示される第６回路６００の可能な具体例を形成する。これは、第６回路６００が存在して第５回路５００からの出力信号を統合、ローパスフィルタリング、又は遅延させるとき、ここでは、第８回路８００はレジスタ８１３だけを含むという事実のため、第８回路８００は非本質的な回路であることを明らかに示しており、そのレジスタは集積回路でもフィルタリング回路でも遅延回路でもない。ダイオード９１２は図３に示される第９回路９００の可能な具体例を形成する。ダイオード９１２の後では、前の回路からの出力信号が組み合わせられる。第３実施例は”オープン”故障に対する最少遅延を提供する。
【００３７】
図６の例示的値は、“オープン”に対する遅延反応は約１μｓｅｃであり、統合時定数τ＝回路６００に対するＲＣ、τ（ショート）＝τ（低）＝２０ｍｓｅｃであり、“ショート”に対する遅延反応は約６ｍｓｅｃである。もちろん、他の値も可能であり除外されない。
【００３８】
図７には第２実施形態の第４実施例が示される。この第４実施例によれば、３つのレジスタ４１７−４１９が互いに直列に接続され、そして、有機発光ダイオード装置（ここでは不図示）と並列に接続される分圧器を一緒に形成する。その３つのレジスタ４１７−４１９は図３に示される第４回路４００の可能な具体例を形成する。レジスタ４１７と４１８との間の相互接続はトランジスタ７１１の制御電極に接続される。トランジスタ７１１の第１主電極はレジスタ４１７の他方側に接続され、そして、第２主電極はレジスタ８１４を介してサイリスタ３１の制御電極に接続される。レジスタ４１８と４１９との間の相互接続はここでは使用されず、従って、レジスタ４１８と４１９の両方は組み合わされるだろう。サイリスタ３１の制御電極はコンデンサ８１５を介してレジスタ４１９の他方側に更に接続される。サイリスタ３１の主電極はレジスタ４１７と４１９の他方側に接続される。トランジスタ７１１は図３に示される第７回路７００の可能な具体例を形成する。レジスタ８１４とコンデンサ８１５とは、図３に示される第８回路８００の可能な具体例を形成する。これは、第８回路８００が存在し、第７回路７００からの出力信号を統合、ローパスフィルタリング、又は遅延するとき、第５、第６、及び第９回路５００、６００、９００は、それらがここでは存在していないという事実から、それぞれ本質的ではないということを明らかに示す。その第４実施例は“オープン”故障だけを検出することができる。
【００３９】
図８では、第２実施形態の第５実施例が示される。この第５実施例によれば、３つのレジスタ４２０−４２２は互いに直列に接続され、そして、有機発光ダイオード装置（ここでは不図示）と並列に接続される分圧器を一緒に形成する。その３つのレジスタ４２０−４２２は図３に示される第４回路４００の可能な具体例を形成する。レジスタ４２１と４２２の間の相互接続はトランジスタ５１１の制御電極に接続される。トランジスタ５１１の第１主電極はレジスタ４２２の他方側に接続され、そして、第２主電極はサイリスタ３１の制御電極に接続される。レジスタ４２０と４２１との間の相互接続はここでは使用されず、従って、レジスタ４２０と４２１の両方は組み合わされることができる。サイリスタ３１の制御電極は、レジスタ６１６を介してレジスタ４２０の他方側に更に接続され、そして、コンデンサ６１７を介してレジスタ４２２の他方側に更に接続される。サイリスタ３１の主電極は、レジスタ４２０と４２２の他方側に接続される。トランジスタ５１１は図３に示される第５回路５００の可能な具体例を形成する。レジスタ６１６とコンデンサ６１７とは図３に示される第６回路６００の可能な具体例を形成する。これは、第６回路６００が存在し、第５回路５００からの出力信号を統合、ローパスフィルタリング、又は遅延するとき、第７、第８、及び第９回路７００、８００、９００は、それらがここでは存在していないという事実から、それぞれ本質的ではないということを明らかに示す。その第５実施例は“ショート”故障だけを検出することができる。
【００４０】
図９ではシステム４０が示され、そのシステムは１つの管理回路１０を含み、その管理回路は２つの有機発光ダイオード装置１、２を管理する。これは低コストのソリューションであるが、その有機発光ダイオード装置のうち１つだけが故障を示す場合は、両方がバイパスされ動作停止されるだろう。
【００４１】
図１０ではシステム４０が示され、そのシステムは２つの管理回路１０と１１とを含み、それぞれが有機発光ダイオード装置１と２を管理するために使用される。これはより高価なソリューションであるが、その有機発光ダイオード装置のうち１つだけが故障を示す場合は、この１つだけがバイパスされ動作停止になり、もう一方はバイパスされず作動したままであるだろう。
【００４２】
図１１では、第１実施形態の第１実施例が示される。この第１実施例によれば、２つのレジスタ１１１−１１２が互いに直列に接続され、そして、有機発光ダイオード（ここでは不図示）と並列に接続される分圧器を一緒に形成する。その２つのレジスタ１１１−１１２は図２に示される第１回路１００の可能な具体例を形成する。レジスタ１１１と１１２との間の相互接続はトランジスタ２１１の制御電極に接続される。トランジスタ２１１の第１主電極はレジスタ１１２の他方側に接続され、そして、第２主電極はサイリスタ３１の制御電極に接続される。サイリスタ３１の制御電極はレジスタ３１１を介してレジスタ１１１の他方側に更に接続され、そして、コンデンサ３１２を介してレジスタ１１２の他方側に更に接続される。サイリスタ３１の主電極はレジスタ１１１と１１２との他方側に接続される。トランジスタ２１１は図２に示される第２回路２００の可能な具体例を形成する。レジスタ３１１とコンデンサ３１２とは図２に示される第３回路３００の可能な具体例を形成する。最終的に、トランジスタ２１１の制御電極と第１主電極との間に存在するトランジスタ電圧は、基準電圧として使用され、従って、ここではトランジスタ２１１は図２に示される回路２０１の可能な具体例を更に形成する。
【００４３】
図１１の例示的な値は、Ｒ（１１２）＝５ｋΩ、Ｒ（１１１）＝３０ｋΩ、Ｒ（３１１）＝１．２ｋΩ、Ｃ（３１２）＝５μＦ、そうしてτ＝ＲＣ＝６ｍｓｅｃであってもよい。もちろん、他の値も可能であり除外されない。
【００４４】
図１２では、第１実施形態の第２実施例が示される。この第２実施例は、サイリスタ３１が、サイリスタの動きをシュミレートする２つのトランジスタ３２と３３によって代替されている点のみが第１実施例と異なる。トランジスタ３２の第１主電極はレジスタ１１１の他方側に接続される。トランジスタ３２の第２主電極はトランジスタ３３の制御電極に接続され、そして、トランジスタ２１１の第２主電極に接続される。トランジスタ３３の第１主電極はレジスタ１１２の他方側に接続される。トランジスタ３２の制御電極はトランジスタ３３の第２電極に接続される。
【００４５】
図１３では、第１実施形態の第３実施例が示される。この第３実施例は、トランジスタ２１１がオペアンプ２１２によって代替されているという点のみが第１実施例と異なり、オペアンプ２１２の反転入力はその相互接続に接続され、オペアンプ２１２の非反転入力は電源２０２を介してレジスタ１１２の他方側に接続され、そして、オペアンプ２１２の出力はレジスタ３１３を介してサイリスタ３１の制御電極に接続され、その制御電極はコンデンサ３１４を介してレジスタ１１２の他方側に更に接続される。サイリスタ３１の主電極はレジスタ１１１と１１２の他方側に接続され、そして、オペアンプ２１２の供給端末に接続される。そのオペアンプ２１２は図２に示される第２回路２００の可能な具体例を形成する。レジスタ３１３とコンデンサ３１４とは図２に示される第３回路３００の可能な具体例を形成する。最終的に、電源２０２は図２に示される回路２０１の可能な具体例を形成する。
【００４６】
図４−８及び１１−１３を考慮すると、図３に示される第２実施形態によって、“ショート”故障と同様に“オープン”故障を処理することができ、図２に示される第１実施形態によって、“オープン”故障或いは“ショート”故障のうちの１種類だけの故障を処理することができる。
【００４７】
好適には、スイッチング回路３０は導電モードで、或る電流で、その電流での有機発光ダイオード装置１の順電圧降下よりも小さい順電圧降下を示している比較的低い抵抗パスを含み、及び／又は、非導電モードで、或る電圧で、その電圧での有機発光ダイオード装置よりも小さいリーク電流を示している比較的高い抵抗パスを含む。管理回路１０をよりロバストにするため、スイッチング回路３０は双安定スイッチング回路であってもよく、そのスイッチング回路は、判定信号及び／又は別の判定信号に応じて、非導電モードから導電モードへスイッチされ、及び／又は、そのスイッチング回路３０を通過する一定電流が最小値を下回るとすぐに、導電モードから非導電モードへ逆にスイッチされる。好適には、管理回路１０は自律回路であり、その自律回路は、有機発光ダイオード装置１（の端末）を介して電力を受信するのみであり、更なる電力を受信せず、及び／又は、その管理回路１０は自動的回路であり、その自動的回路は、有機発光ダイオード装置１のスイッチオフの後に自分をリセットし、そして、有機発光ダイオード装置１のスイッチオンの後に再び自分を設定する。場合により、管理回路１０をより柔軟にするため、検出回路２０はマイクロコントローラを含んでもよい。
【００４８】
図においては、要素は参照符号により表されている。第１及び第２の要素は、それらが相互に直接に接続されている場合、及び、第３要素を介して相互に間接的に接続されている場合、相互に接続されている。各要素はより小さい要素に分割されてもよく、そして、幾つかの要素がより大きな要素に結合されてもよい。各図に対して、特に図２及び３に対して、多数の代替的な実施例が可能であろう。例えば、回路１００と４００は、能動回路を介して実現されてもよく、又は、ＡＣ電流を有機発光ダイオード装置に供給する定電流ドライバの場合、キャパシタ・デバイダを介して実現されてもよい。ダイオードや整流ブリッジのような整流要素が付加される必要があってもよい。同様に、回路２００（場合により３００と）、５００（場合により６００と）及び７００（場合により８００と）に対して、或る電圧ジャンプを（例えば微分によって）検出することができる（そして、場合により、或る期間、又は、時間の導関数等を有することができる）代替的な回路が導入され、そうして、電源２０１、５０１、及び７０１が回避等されるようになる。図１−３に示される如何なるブロックも分離した集積回路、又は、集積回路の一部であってもよく、及び／又は、図１−３のそれぞれに示される、如何なる２つ以上のブロックも、同じ集積回路の一部であってもよく、又は、異なる集積回路の一部でもよい。最終的に、図１−３に示される如何なるブロックも、１つ以上の集積回路を含んでもよい。
【００４９】
要約すると、本発明は管理回路１０に関し、その管理回路は、検出回路２０を介して有機発光ダイオード装置１を管理し、その有機発光ダイオード装置１の故障状態を検出し、そして、その有機発光ダイオード装置１の検出された故障状態に応じて、判定信号を生成し、その検出された故障状態は或る時間間隔と等しいか、又は、より大きい期間を有する。その判定信号に応じて、有機発光ダイオード装置１は、双安定回路のようなスイッチング回路３０を通じて、バイパスされ動作停止されることが可能になる。その故障状態には、有機発光ダイオード装置１が比較的低いインピーダンス又は“ショート”、及び、比較的高いインピーダンス又は”オープン”を有することを含む。管理回路１０は、さらに、有機発光ダイオード装置１が不正にバイパスされることを防ぐ。管理回路１０は、有機発光ダイオード装置１を介して、電力だけを受信する自律回路であってもよく、そして、スイッチオフの後、自分自身を自動的にリセットする自動回路であってもよい。
【００５０】
本発明は図面と前述の説明とにおいて、詳細に例示され説明されたが、そうした例示と説明とは例証又は具体例とみなされるべきであり、制限的ではない；本発明は、開示の実施形態に制限されない。開示の実施形態に対する他の変形例は、本発明の実施分野における当業者であれば、図面、明細書、及び付属の請求項の考察から理解され、達成されるだろう。請求項においては、“含む（comprising）”の語は他の要素やステップを排除せず、そして不定冠詞“ａ”、“ａｎ”は複数を排除しない。或る手段が相互に異なる従属項に記載されているという単なる事実は、そうした手段が有利には使用することができないということを示すものではない。請求項の如何なる参照符号もその範囲を制限するものと解釈されるべきではない。
【図１】
0005894982.tif 000002
【図２】
0005894982.tif 000003
【図３】
0005894982.tif 000004
【図４】
0005894982.tif 000005
【図５】
0005894982.tif 000006
【図６】
0005894982.tif 000007
【図７】
0005894982.tif 000008
【図８】
0005894982.tif 000009
【図９】
0005894982.tif 000010
【図１０】
0005894982.tif 000011
【図１１】
0005894982.tif 000012
【図１２】
0005894982.tif 000013
【図１３】
0005894982.tif 000014